(57)【要約】【課題】床面を傷つけることなく間仕切り壁を設置することができる間仕切り壁の固定構造を提供する。【解決手段】居室１００内の床面２ａの下方に敷設され、磁性体から形成された下部鉄板２０と、床面２ａに載置された間仕切り壁１０と、間仕切り壁１０に設けられ、磁石から形成されて、下部鉄板２０との間に生じる吸着力により間仕切り壁１０を床面２ａに固定する下部磁石３０と、を具備し、下部磁石３０は、下部ランナー１１の水平部１１ａ及び立設部１１ｂによって形成される溝部内に収容されている。【選択図】図１
2019007300.tif 000002
【特許請求の範囲】
【請求項１】
室内の床面の下方に敷設され、磁性体又は磁石のいずれか一方から形成された敷設部と、
前記床面に載置された間仕切り壁と、
前記間仕切り壁に設けられ、磁性体又は磁石のいずれか他方から形成されて、前記敷設部との間に生じる吸着力により前記間仕切り壁を前記床面に固定する固定部と、
を具備する、
間仕切り壁の固定構造。
【請求項２】
前記間仕切り壁は、
前記床面に沿って長手方向に延びる水平部、及び前記水平部の短手方向両端部から上方に延びる立設部を有するランナーを具備し、
前記固定部は、
前記ランナーの前記水平部及び前記立設部によって形成される溝部内に収容されている、
請求項１に記載の間仕切り壁の固定構造。
【請求項３】
前記ランナーは、
前記固定部の少なくとも一部が前記床面側に露出するように形成されている、
請求項２に記載の間仕切り壁の固定構造。
【請求項４】
前記床面と前記間仕切り壁との間に設けられ、摩擦力によって前記床面に対する前記間仕切り壁の位置ずれを抑制するずれ抑制部材を具備する、
請求項１から請求項３までのいずれか一項に記載の間仕切り壁の固定構造。
【請求項５】
前記間仕切り壁の壁面に設けられ、前記床面と接触する部分がゴム系材料で形成された幅木を具備する、
請求項１から請求項４までのいずれか一項に記載の間仕切り壁の固定構造。
【請求項６】
前記間仕切り壁に設けられ、磁石から形成されて、天井の磁性体部分に吸着することにより前記間仕切り壁を前記天井に固定する天井側固定部を具備する、
請求項１から請求項５までのいずれか一項に記載の間仕切り壁の固定構造。
【請求項７】
前記敷設部は、
前記床面を構成する床仕上材と、前記床仕上材の下方に敷設された床下地材との間に敷設されている、
請求項１から請求項６までのいずれか一項に記載の間仕切り壁の固定構造。
【請求項８】
前記敷設部は、
前記床面を構成する床仕上材に、当該床仕上材の中間層として組み込まれている、
請求項１から請求項６までのいずれか一項に記載の間仕切り壁の固定構造。
【発明の詳細な説明】
【技術分野】
【０００１】
本発明は、間仕切り壁の固定構造の技術に関する。
【背景技術】
【０００２】
従来、間仕切り壁の固定構造の技術は公知となっている。例えば、特許文献１に記載の如くである。
【０００３】
特許文献１には、天井下地材に固定された上部ランナーと、床材に固定された下部ランナーと、上部ランナーと下部ランナーとの間を上下方向に延びるスタッドと、上部ランナー、下部ランナー及びスタッドを覆う壁下地とを具備する間仕切り壁が記載されている。
【０００４】
特許文献１に記載されるような間仕切り壁を設置する際には、下部ランナーを床材に対してビス等の固定具で固定するため、床面を傷つけてしまうという問題があった。
【先行技術文献】
【特許文献】
【０００５】
【特許文献１】特開２０１６−６９８７０号公報
【発明の概要】
【発明が解決しようとする課題】
【０００６】
本発明は以上の如き状況に鑑みてなされたものであり、その解決しようとする課題は、床面を傷つけることなく間仕切り壁を設置することができる間仕切り壁の固定構造を提供することである。
【課題を解決するための手段】
【０００７】
本発明の解決しようとする課題は以上の如くであり、次にこの課題を解決するための手段を説明する。
【０００８】
即ち、請求項１においては、室内の床面の下方に敷設され、磁性体又は磁石のいずれか一方から形成された敷設部と、前記床面に載置された間仕切り壁と、前記間仕切り壁に設けられ、磁性体又は磁石のいずれか他方から形成されて、前記敷設部との間に生じる吸着力により前記間仕切り壁を前記床面に固定する固定部と、を具備するものである。
【０００９】
請求項２においては、前記間仕切り壁は、前記床面に沿って長手方向に延びる水平部、及び前記水平部の短手方向両端部から上方に延びる立設部を有するランナーを具備し、前記固定部は、前記ランナーの前記水平部及び前記立設部によって形成される溝部内に収容されているものである。
【００１０】
請求項３においては、前記ランナーは、前記固定部の少なくとも一部が前記床面側に露出するように形成されているものである。
【００１１】
請求項４においては、前記床面と前記間仕切り壁との間に設けられ、摩擦力によって前記床面に対する前記間仕切り壁の位置ずれを抑制するずれ抑制部材を具備するものである。
【００１２】
請求項５においては、前記間仕切り壁の壁面に設けられ、前記床面と接触する部分がゴム系材料で形成された幅木を具備するものである。
【００１３】
請求項６においては、前記間仕切り壁に設けられ、磁石から形成されて、天井の磁性体部分に吸着することにより前記間仕切り壁を前記天井に固定する天井側固定部を具備するものである。
【００１４】
請求項７においては、前記敷設部は、前記床面を構成する床仕上材と、前記床仕上材の下方に敷設された床下地材との間に敷設されているものである。
【００１５】
請求項８においては、前記敷設部は、前記床面を構成する床仕上材に、当該床仕上材の中間層として組み込まれているものである。
【発明の効果】
【００１６】
本発明の効果として、以下に示すような効果を奏する。
【００１７】
請求項１においては、床面を傷つけることなく間仕切り壁を設置することができる。
【００１８】
請求項２においては、固定部を間仕切り壁から脱落し難くすることができる。
【００１９】
請求項３においては、敷設部と固定部との吸着力を強めることができ、ひいては床面に間仕切り壁をよりしっかり固定することができる。
【００２０】
請求項４においては、床面を傷つけることなく、床面に対する間仕切り壁の位置ずれを抑制することができる。
【００２１】
請求項５においては、床面を傷つけることなく、床面に対する間仕切り壁の位置ずれを抑制することができる。
【００２２】
請求項６においては、天井を傷つけることなく間仕切り壁を設置することができる。
【００２３】
請求項７においては、容易に敷設部を敷設することができる。
【００２４】
請求項８においては、敷設部と床面との距離を比較的短くすることができるので、敷設部と固定部との吸着力を強めることができ、ひいては床面に間仕切り壁をよりしっかり固定することができる。
【図面の簡単な説明】
【００２５】
【図１】本発明の第一実施形態に係る間仕切り壁の固定構造を示した側面断面図。
【図２】本発明の第一実施形態に係る間仕切り壁の一部を示した斜視図。
【図３】本発明の第一実施形態に係る間仕切り壁の固定構造の一部を示した側面断面図。
【図４】本発明の第一実施形態に係る間仕切り壁の固定構造が用いられる居室を示した平面図。
【図５】本発明の第二実施形態に係る間仕切り壁の固定構造の一部を示した側面断面図。
【図６】本発明の第二実施形態に係る間仕切り壁の固定構造の一部を示した平面断面図。
【図７】本発明の第三実施形態に係る間仕切り壁の固定構造の一部を示した側面断面図。
【図８】本発明の第三実施形態に係る間仕切り壁の固定構造の一部を示した平面断面図。
【図９】本発明の第四実施形態に係る間仕切り壁の固定構造の一部を示した側面断面図。
【図１０】本発明の第五実施形態に係る間仕切り壁の固定構造の一部を示した側面断面図。
【図１１】本発明の第五実施形態に係る間仕切り壁の固定構造の一部を示した正面図。
【図１２】本発明の第六実施形態に係る間仕切り壁の固定構造の一部を示した側面断面図。
【図１３】本発明の第七実施形態に係る間仕切り壁の固定構造の一部を示した平面断面図。
【発明を実施するための形態】
【００２６】
以下では、図中の矢印に基づいて、前後方向、左右方向及び上下方向を定義して説明を行う。
【００２７】
以下では、図１から図３を用いて本発明の第一実施形態に係る間仕切り壁の固定構造１について説明する。
【００２８】
本発明の第一実施形態に係る間仕切り壁の固定構造１（以下、単に「固定構造１」という）は、間仕切り壁１０を固定するための構造である。図１に示すように、固定構造１は、住宅等の建物の居室１００で使用される。居室１００の床部分は、束５で支持されたパーティクルボード４、パーティクルボード４上に敷設された合板３、及び後述する下部鉄板２０を介して合板３上に敷設されたフローリング２によって構成される。フローリング２は、居室１００の床面２ａを構成する。居室１００の天井部分は、天井下地材７、及び後述する上部鉄板５０を介して天井下地材７の下方に設けられた天井材６によって構成される。天井材６は、居室１００の天井面６ａを構成する。
【００２９】
固定構造１は、間仕切り壁１０、下部鉄板２０、下部磁石３０、幅木４０、上部鉄板５０及び上部磁石６０を具備する。
【００３０】
間仕切り壁１０は、居室１００の室内空間を仕切るものである。間仕切り壁１０は、下部ランナー１１、上部ランナー１２、スタッド１３及び壁下地１４を具備する。なお、図２においては、便宜上、壁下地１４の図示を省略している。
【００３１】
下部ランナー１１は、間仕切り壁１０の下端部を構成するものである。下部ランナー１１は、床面２ａに沿って、間仕切り壁１０の間仕切り方向（本実施形態においては左右方向）に延びるように形成される。下部ランナー１１は、水平部１１ａ及び立設部１１ｂを具備する。
【００３２】
図２に示す水平部１１ａは、下部ランナー１１の底部を構成するものであって、床面２ａと接触する（床面２ａに載置される）部分である。水平部１１ａは、板面を上下方向に向けた板状に形成される。水平部１１ａは、床面２ａに沿って下部ランナー１１の長手方向（本実施形態においては左右方向）に延びるように形成される。
【００３３】
図２に示す立設部１１ｂは、下部ランナー１１の短手方向両端部を構成するものである。立設部１１ｂは、水平部１１ａの短手方向（本実施形態においては前後方向）両端部から上方に延びるように形成される。立設部１１ｂは、水平部１１ａと一体的に形成される。
【００３４】
このように構成される下部ランナー１１は、水平部１１ａ及び立設部１１ｂによって、開放面を上方に向けた断面コの字型に形成される。水平部１１ａ及び立設部１１ｂは、板を折り曲げることで形成され得る。
【００３５】
上部ランナー１２は、間仕切り壁１０の上端部を構成するものである。上部ランナー１２は、天井面６ａに沿って、間仕切り壁１０の間仕切り方向（下部ランナー１１が延びる方向と同じ方向、本実施形態においては左右方向）に延びるように形成される。上部ランナー１２は、水平部１２ａ及び立設部１２ｂを具備する。
【００３６】
水平部１２ａは、上部ランナー１２の天井部を構成するものであって、天井面６ａと接触する部分である。水平部１２ａは、板面を上下方向に向けた板状に形成される。水平部１２ａは、天井面６ａに沿って上部ランナー１２の長手方向（本実施形態においては左右方向）に延びるように形成される。
【００３７】
立設部１２ｂは、上部ランナー１２の短手方向両端部を構成するものである。立設部１２ｂは、水平部１２ａの短手方向（本実施形態においては前後方向）両端部から下方に延びるように形成される。立設部１２ｂは、水平部１２ａと一体的に形成される。
【００３８】
このように構成される上部ランナー１２は、水平部１２ａ及び立設部１２ｂによって、開放面を下方に向けた断面コの字型に形成される。水平部１２ａ及び立設部１２ｂは、板を折り曲げることで形成され得る。
【００３９】
スタッド１３は、間仕切り壁１０の主要な骨組みを構成するものである。スタッド１３は、ＬＧＳ（軽量鉄骨）によって形成される。スタッド１３は、下部ランナー１１と上部ランナー１２との間を、上下方向に延びるように形成される。スタッド１３の下端部は、下部ランナー１１の内側（水平部１１ａ及び立設部１１ｂによって形成される溝部内）に収容され、当該下部ランナー１１に対して適宜の方法で固定される。スタッド１３の上端部は、上部ランナー１２の内側（水平部１２ａ及び立設部１２ｂによって形成される溝部内）に収容され、当該上部ランナー１２に対して適宜の方法で固定される。スタッド１３は、左右方向に間隔をおいて複数設けられる。
【００４０】
図１及び図３に示す壁下地１４は、間仕切り壁１０の下地部分である。壁下地１４は、正面視矩形の板状に形成される。壁下地１４は、下部ランナー１１、上部ランナー１２及びスタッド１３の前後両側に設けられる。壁下地１４の下端部は、下部ランナー１１の下端部と略同一の高さとなるように形成されている。壁下地１４の上端部は、上部ランナー１２の上端部と略同一の高さとなるように形成されている。これにより、壁下地１４は、下部ランナー１１、上部ランナー１２及びスタッド１３の前後両側面を覆うように設けられる。壁下地１４としては、適宜の材料が用いられ、例えば石膏ボードが用いられる。壁下地１４の室内側の壁面には、適宜壁紙（不図示）が貼付される。
【００４１】
図１及び図３に示す下部鉄板２０は、磁性体である鉄製の板材である。下部鉄板２０は、フローリング２の下方に敷設される。具体的には、下部鉄板２０は、フローリング２と合板３との間に敷設される。下部鉄板２０は、板面を上下方向に向けて設けられる。下部鉄板２０は、居室１００の略全面に敷設される。或いは、下部鉄板２０は、間仕切り壁１０が設置され得る適宜の場所に敷設されていてもよい。下部鉄板２０の厚みは、適宜の値に設定され得るが、下部鉄板２０を敷設する部分と敷設しない部分との段差を考慮すると薄い方が望ましく、後述する下部磁石３０との吸着力を考慮すると厚い方が望ましい。両者のバランスを考慮すると、下部鉄板２０の厚みは、０．６ｍｍ程度に設定されることが望ましい。
【００４２】
下部磁石３０は、間仕切り壁１０を固定するためのものである。下部磁石３０は、磁性体を引き寄せる性質を有している。下部磁石３０は、直方体状に形成される。下部磁石３０の前後幅は、下部ランナー１１の前後の立設部１１ｂ間の距離よりやや小さくなるように形成される。下部磁石３０は、下部ランナー１１の内側（水平部１１ａ及び立設部１１ｂによって形成される溝部）に収容される。下部磁石３０は、左右方向に間隔をおいて複数設けられる。下部磁石３０のそれぞれは、隣接するスタッド１３の間に設けられる（図２参照）。
【００４３】
図１及び図３に示す幅木４０は、壁下地１４の下部を保護するものである。幅木４０は、正面視矩形の板状に形成される。幅木４０は、板面を前後方向へ向けて、壁下地１４の前後両壁面の下部に固定される。幅木４０は、床面２ａから２ｍｍ程度の距離をあけて設けられる。
【００４４】
図１に示す上部鉄板５０は、磁性体である鉄製の板材である。上部鉄板５０は、天井材６の上方に敷設される。具体的には、上部鉄板５０は、天井材６と天井下地材７との間に敷設される。上部鉄板５０は、板面を上下方向に向けて設けられる。上部鉄板５０は、居室１００の略全面に敷設される。或いは、上部鉄板５０は、間仕切り壁１０が設置され得る適宜の場所に敷設されていてもよい。上部鉄板５０の厚みは、適宜の値に設定され、例えば０．６ｍｍに設定される。
【００４５】
図１及び図２に示す上部磁石６０は、間仕切り壁１０を固定するためのものである。上部磁石６０は、磁性体を引き寄せる性質を有している。上部磁石６０は、直方体状に形成される。上部磁石６０の前後幅は、上部ランナー１２の前後の立設部１２ｂ間の距離よりやや小さくなるように形成される。上部磁石６０は、上部ランナー１２の内側（水平部１２ａ及び立設部１２ｂによって形成される溝部）に収容される。上部磁石６０は、左右方向に間隔をおいて複数設けられ、上部磁石６０のそれぞれは、隣接するスタッド１３の間に設けられる（図２参照）。
【００４６】
以上の如く構成される固定構造１においては、フローリング２の下方に敷設された下部鉄板２０と、間仕切り壁１０の下端部に設けられた下部磁石３０との間に吸着力が生じることとなる。この下部鉄板２０と下部磁石３０との間に生じた吸着力により、間仕切り壁１０を床面２ａに固定することができる。また、天井材６の上方に敷設された上部鉄板５０と、間仕切り壁１０の上端部に設けられた上部磁石６０との間にも吸着力が生じることとなる。この上部鉄板５０と上部磁石６０との間に生じた吸着力により、間仕切り壁１０を天井面６ａに固定することができる。これにより、図４に示すように、間仕切り壁１０を居室１００内に設置することができ、間仕切り壁１０によって、居室１００の室内空間を仕切ることができる。
【００４７】
このように本実施形態に係る固定構造１においては、間仕切り壁１０を、ビスや釘等の固定具を用いずに、下部鉄板２０と下部磁石３０との間に生じる吸着力、及び上部鉄板５０と上部磁石６０との間に生じる吸着力によって設置するため、床面２ａ及び天井面６ａを傷つけるのを防ぐ（ビス穴や釘穴が床面２ａ及び天井面６ａに残らないようにする）ことができる。また、図４に示すように、床面２ａの下方に床暖房Ｆが設置されている場合であっても、ビス等の固定具によって床暖房Ｆを傷めることがないため、床暖房Ｆが設けられた場所であっても間仕切り壁１０を設置することができる。
【００４８】
また、間仕切り壁１０の固定にビス等の固定具を用いないため、間仕切り壁１０を一旦設置した後、間仕切り壁１０の設置位置を変更した場合に、元の設置位置にビス穴が残るということがない。このため、居室１００の美観を損なうことなく、間仕切り壁１０の設置位置を変更することができる。さらには、床面２ａの下方には下部鉄板２０が広く敷設されているため、間仕切り壁１０を所望の位置に設置することができる。
【００４９】
このように、本実施形態に係る固定構造１によれば、設置位置を自由に変更可能な可動式の間仕切り壁１０とすることができ、個人のライフスタイルに合わせて、居室１００を自由な間取りとすることができる。
【００５０】
以上の如く、本実施形態に係る固定構造１は、居室１００内（室内）の床面２ａの下方に敷設され、磁性体から形成された下部鉄板２０（敷設部）と、前記床面２ａに載置された間仕切り壁１０と、前記間仕切り壁１０に設けられ、磁石から形成されて、前記下部鉄板２０との間に生じる吸着力により前記間仕切り壁１０を前記床面２ａに固定する下部磁石３０（固定部）と、を具備するものである。
このように構成することにより、床面２ａを傷つけることなく間仕切り壁１０を設置することができる。
【００５１】
また、前記間仕切り壁１０は、前記床面２ａに沿って長手方向に延びる水平部１１ａ、及び前記水平部１１ａの短手方向両端部から上方に延びる立設部１１ｂを有する下部ランナー１１（ランナー）を具備し、前記下部磁石３０は、前記下部ランナー１１の前記水平部１１ａ及び前記立設部１１ｂによって形成される溝部内に収容されているものである。
このように構成することにより、下部磁石３０を間仕切り壁１０から脱落し難くすることができる。
【００５２】
また、本実施形態に係る固定構造１は、前記間仕切り壁１０に設けられ、磁石から形成されて、天井材６（天井）の上部鉄板５０（磁性体部分）に吸着することにより前記間仕切り壁１０を前記天井材６に固定する上部磁石６０（天井側固定部）を具備するものである。
このように構成することにより、天井材６を傷つけることなく間仕切り壁１０を設置することができる。
【００５３】
また、前記下部鉄板２０は、前記床面２ａを構成するフローリング２（床仕上材）と、前記フローリング２の下方に敷設された合板３及びパーティクルボード４（床下地材）との間に敷設されているものである。
このように構成することにより、容易に下部鉄板２０を敷設することができる。
【００５４】
なお、本実施形態に係るフローリング２は、床仕上材の実施の一形態である。
また、本実施形態に係る合板３及びパーティクルボード４は、床下地材の実施の一形態である。
また、本実施形態に係る天井材６は、天井の実施の一形態である。
また、本実施形態に係る下部鉄板２０は、敷設部の実施の一形態である。
また、本実施形態に係る下部磁石３０は、固定部の実施の一形態である。
また、本実施形態に係る上部鉄板５０は、磁性体部分の実施の一形態である。
また、本実施形態に係る上部磁石６０は、天井側固定部の実施の一形態である。
【００５５】
以上、本発明の第一実施形態を説明したが、本発明は上記構成に限定されるものではなく、特許請求の範囲に記載された発明の範囲内で種々の変更が可能である。
【００５６】
例えば、本実施形態においては、敷設部が鉄（磁性体）で形成され、固定部が磁石で形成されるものとしたが、これに限定されるものではなく、敷設部が磁石で形成され、固定部が鉄（磁性体）で形成されるものであってもよい。また、磁性体は鉄に限定されるものではなく、任意の磁性体とすることができる。
【００５７】
また、本実施形態においては、天井材６の上方に敷設した上部鉄板５０を用いて間仕切り壁１０の上端部を天井面６ａに固定するものとしたが、必ずしも上部鉄板５０を敷設する必要はなく、元々設置されている配管等の磁性体部分を用いて間仕切り壁１０の上端部を天井面６ａに固定するものであってもよい。
【００５８】
また、本実施形態においては、間仕切り壁１０の上端部は、磁石と磁性体との間に生じる吸着力を用いて天井面６ａに固定されるものとしたが、これに限定されるものではない。天井面６ａにおいては、クロス（壁紙）を貼り替えることによりビス穴や釘穴を隠すことができるため、間仕切り壁１０の上端部はビスや釘等の固定具を用いて天井面６ａに固定するものであってもよい。
【００５９】
また、本実施形態においては、下部磁石３０は、下部ランナー１１の水平部１１ａ及び立設部１１ｂによって形成される溝部内に収容されるものとしたが、これに限定されるものではない。下部磁石３０の設置位置は、任意の設置位置とすることができ、例えば下部ランナー１１の水平部１１ａの下面に固定されていてもよい。上部磁石６０の設置位置もまた、任意の設置位置とすることができ、例えば上部ランナー１２の水平部１２ａの上面に固定されていてもよい。
【００６０】
また、間仕切り壁１０の内部にグラスウール等の遮音材を設けることができる。これにより遮音性を向上させることができる。
【００６１】
次に、図５及び図６を用いて、第二実施形態に係る固定構造１について説明する。
【００６２】
第二実施形態が第一実施形態と異なる点は、下部ランナー１１が矩形孔１１ｃを具備する点である。よって以下では、第一実施形態と同一の構成については、同一の符号を付して説明を省略する。
【００６３】
矩形孔１１ｃは、下部ランナー１１の水平部１１ａに形成される孔である。矩形孔１１ｃは、水平部１１ａを上下方向に貫通するように形成される。図６に示すように、矩形孔１１ｃは、平面視矩形状に形成される。矩形孔１１ｃは、下部磁石３０に対応する位置に、左右方向に間隔をおいて複数設けられる。各矩形孔１１ｃは、平面視において、下部磁石３０の中央部分に位置するように形成される。
【００６４】
このように矩形孔１１ｃが形成されることにより、下部磁石３０の一部が床面２ａ側に露出することとなる。これにより、下部磁石３０の磁力が遮断され難くなるので、下部鉄板２０と下部磁石３０との間に生じる吸着力を高めることができる。したがって、間仕切り壁１０を床面２ａにしっかり固定することができる。
【００６５】
次に、図７及び図８を用いて、第三実施形態に係る固定構造１について説明する。
【００６６】
第三実施形態が第二実施形態と異なる点は、下部磁石３０が突出部３１を具備する点である。よって以下では、第二実施形態と同一の構成については、同一の符号を付して説明を省略する。
【００６７】
突出部３１は、下部磁石３０の下面から下方に突出する部分である。突出部３１は、下部磁石３０の下面の中央に平面視矩形状に形成される（図８参照）。突出部３１は、平面視において、下部ランナー１１の矩形孔１１ｃよりもやや小さく形成され、当該矩形孔１１ｃに挿入される。突出部３１は、下部ランナー１１の水平部１１ａの上下方向の厚さと略同じだけ下方に突出し、その下面が床面２ａに接するように形成される。突出部３１は、下部磁石３０の他の部分と一体的に形成されていてもよく、或いは別体として形成されていてもよい。
【００６８】
このように突出部３１が形成されることにより、下部磁石３０の一部が床面２ａ側に露出すると共に、突出部３１による突出分だけ下部鉄板２０と下部磁石３０との間の距離が短くなる。これにより、下部磁石３０の磁力が遮断され難くなると共に、下部鉄板２０と下部磁石３０との間に生じる吸着力を高めることができる。したがって、間仕切り壁１０を床面２ａにしっかり固定することができる。
【００６９】
以上の如く、第二実施形態及び第三実施形態においては、前記下部ランナー１１は、前記下部磁石３０の少なくとも一部が前記床面２ａ側に露出するように形成されているものである。
このように構成することにより、下部鉄板２０と下部磁石３０との吸着力を強めることができ、ひいては床面２ａに間仕切り壁１０をよりしっかり固定することができる。
【００７０】
次に、図９を用いて、第四実施形態に係る固定構造１について説明する。
【００７１】
第四実施形態が第一実施形態と異なる点は、ずれ抑制部材７０をさらに具備する点である。よって以下では、第一実施形態と同一の構成については、同一の符号を付して説明を省略する。
【００７２】
ずれ抑制部材７０は、床面２ａに対する間仕切り壁１０の位置ずれを抑制するためのものである。ずれ抑制部材７０は、平面視矩形の板状に形成される。ずれ抑制部材７０の前後幅は、下部ランナー１１の前後幅よりもやや短くなるように、或いは下部ランナー１１の前後幅と略同一となるように形成される。ずれ抑制部材７０は、板面を上下方向に向けた状態で下部ランナー１１の下面に固定（貼付）される。これにより、ずれ抑制部材７０は、下部ランナー１１と床面２ａとの間に位置することとなる。ずれ抑制部材７０は、床面２ａとの摩擦力が大きな材料、例えばゴム系材料で形成される。ゴム系材料としては、例えば、天然ゴム、ポリイソプレンゴム、スチレン・ブタジエンゴム、ポリブタジエンゴム、ニトリルゴム、ブチルゴム、エチレンプロピレンゴム、ウレタンゴム、及びシリコーンゴムが挙げられる。ずれ抑制部材７０は、左右方向に間隔をおいて複数設けられる。或いは、ずれ抑制部材７０は、下部ランナー１１の長手方向に沿って連続的に（１つのずれ抑制部材７０が）設けられていてもよい。
【００７３】
このようにずれ抑制部材７０が設けられることにより、ビス等の固定具を用いなくても、間仕切り壁１０の設置後に、床面２ａに対して当該間仕切り壁１０の位置がずれてしまうのを抑制することができる。
【００７４】
以上の如く、第四実施形態に係る固定構造１は、前記床面２ａと前記間仕切り壁１０との間に設けられ、摩擦力によって前記床面２ａに対する前記間仕切り壁１０の位置ずれを抑制するずれ抑制部材７０を具備するものである。
このように構成することにより、床面２ａを傷つけることなく、床面２ａに対する間仕切り壁１０の位置ずれを抑制することができる。
【００７５】
次に、図１０及び図１１を用いて、第五実施形態に係る固定構造１について説明する。
【００７６】
第五実施形態が第一実施形態と異なる点は、幅木４０が接触部４１及び差込孔４２を具備する点である。よって以下では、第一実施形態と同一の構成については、同一の符号を付して説明を省略する。
【００７７】
接触部４１は、幅木４０の下端部に形成される部分である。接触部４１は、その下端部が床面２ａと接触するように形成される。接触部４１は、床面２ａとの摩擦力が大きな材料、例えばゴム系材料で形成される。ゴム系材料としては、例えば、天然ゴム、ポリイソプレンゴム、スチレン・ブタジエンゴム、ポリブタジエンゴム、ニトリルゴム、ブチルゴム、エチレンプロピレンゴム、ウレタンゴム、及びシリコーンゴムが挙げられる。
【００７８】
図１１に示す差込孔４２は、幅木４０の固定をはずすための工具を差し込むための孔である。差込孔４２は、正面視矩形状に形成される。差込孔４２は、幅木４０の下端部に形成される。
【００７９】
このように接触部４１が設けられることにより、床面２ａと接触部４１との間の摩擦力によって、床面２ａに対する間仕切り壁１０の位置ずれを抑制することができる。また、差込孔４２に工具を差し込むことにより、幅木４０の固定をはずすことができるため、間仕切り壁１０を移動し易くすることができる。
【００８０】
以上の如く、第五実施形態に係る固定構造１は、前記間仕切り壁１０の壁面に設けられ、前記床面２ａと接触する接触部４１がゴム系材料で形成された幅木４０を具備するものである。
このように構成することにより、床面２ａを傷つけることなく、床面２ａに対する間仕切り壁１０の位置ずれを抑制することができる。
【００８１】
次に、図１２を用いて、第六実施形態に係る固定構造１について説明する。
【００８２】
第六実施形態が第一実施形態と異なる点は、下部鉄板２０を設ける位置である。よって以下では、第一実施形態と同一の構成については、同一の符号を付して説明を省略する。
【００８３】
第一実施形態において下部鉄板２０は、フローリング２と合板３との間に敷設されるものであるのに対して、第六実施形態において下部鉄板２０は、フローリング２に当該フローリング２の中間層として組み込まれている。
【００８４】
このように構成されることにより、第一実施形態と比べて、下部鉄板２０と床面２ａとの距離を短くすることができるので、下部鉄板２０と下部磁石３０との吸着力を強めることができる。これにより、床面２ａに間仕切り壁１０をよりしっかり固定することができる。
【００８５】
以上の如く、第六実施形態において、前記下部鉄板２０は、前記床面２ａを構成するフローリング２に、当該フローリング２の中間層として組み込まれているものである。
このように構成することにより、下部鉄板２０と床面２ａとの距離を比較的短くすることができるので、下部鉄板２０と下部磁石３０との吸着力を強めることができ、ひいては床面２ａに間仕切り壁１０をよりしっかり固定することができる。
【００８６】
次に、図１３を用いて、第七実施形態に係る固定構造１について説明する。
【００８７】
第七実施形態が第一実施形態と異なる点は、建具８０を具備する点である。よって以下では、第一実施形態と同一の構成については、同一の符号を付して説明を省略する。
【００８８】
建具８０は、左右の間仕切り壁１０の間に設けられる開閉機能を有する仕切りである。建具８０は、建具枠８１、磁石８２及び扉８３を具備する。
【００８９】
建具枠８１は、間仕切り壁１０に取り付けられる枠を構成する部分である。建具枠８１は、長手方向を上下方向に向けて、左の間仕切り壁１０の右端部、及び右の間仕切り壁１０の左端部にそれぞれ設けられる。
【００９０】
磁石８２は、建具枠８１を間仕切り壁１０の開口部に固定するためのものである。磁石８２は、磁性体を引き寄せる性質を有している。磁石８２は、直方体状に形成される。磁石８２は、前後の壁下地１４間に収まるように、かつ建具枠８１とスタッド１３との間に設けられる。これにより、磁石８２は、磁力によって建具枠８１をスタッド１３に接着させる。
【００９１】
扉８３は、左右の間仕切り壁１０の間を開閉するものである。扉８３は、第一扉８３ａ及び第二扉８３ｂを具備する。
【００９２】
第一扉８３ａは、扉８３の左部及び右部を構成する部分である。第一扉８３ａは、両開きの開閉扉として形成される。第一扉８３ａは、左右一対の建具枠８１にそれぞれ設けられる。
【００９３】
第二扉８３ｂは、扉８３の左右方向中央部を構成する部分である。第二扉８３ｂは、左右一対の第一扉８３ａに、当該第一扉８３ａに対して左右方向に移動可能にそれぞれ設けられる。これにより、左右の間仕切り壁１０の間の寸法に合わせて、扉８３の左右幅を調整することができる。
【００９４】
このように、左右の間仕切り壁１０の間に設けられる開閉機能を有する建具８０においても、磁力による吸着力を利用して建具８０（建具枠８１）を設置することができる。これにより、建具８０の設置作業を簡易化することができる。
【符号の説明】
【００９５】
１      固定構造
２      フローリング
２ａ    床面
３      合板
４      パーティクルボード
６      天井材
６ａ    天井面
１０    間仕切り壁
１１    下部ランナー
１１ａ  水平部
１１ｂ  立設部
２０    下部鉄板
３０    下部磁石
４０    幅木
４１    接触部
６０    上部磁石
７０    ずれ抑制部材
１００  居室
【図１】
2019007300.tif 000003
【図２】
2019007300.tif 000004
【図３】
2019007300.tif 000005
【図４】
2019007300.tif 000006
【図５】
2019007300.tif 000007
【図６】
2019007300.tif 000008
【図７】
2019007300.tif 000009
【図８】
2019007300.tif 000010
【図９】
2019007300.tif 000011
【図１０】
2019007300.tif 000012
【図１１】
2019007300.tif 000013
【図１２】
2019007300.tif 000014
【図１３】
2019007300.tif 000015